(57)【要約】      （修正有）【課題】安全に開閉操作のできる施錠装置を備えた収納庫を提供する。【解決手段】上面に開口を有する収納庫本体と、開口の後端に開閉自在に枢着された蓋体７とを備えた収納庫において、蓋体下側と収納庫本体前面を構成する前面板２との間に隙間を形成し、蓋体前部に第１の係止孔１１を形成し、前面板に長孔１３を設け、長孔に収納庫本体外方へ出し入れ自在の板状係止片１４を遊嵌し、板状係止片の収納庫外側の先端に第２の係止孔１５を形成するとともに他端に抜け止部材１７を設け、抜け止部材は重りとなり板状係止片を収納庫内へ引き込み、収納庫の閉蓋時に第１の係止孔１１と長孔より引き出した板状係止片の第２の係止孔１５間を南京錠２０で施錠する。【選択図】図５
0003209265.tif 000002
【実用新案登録請求の範囲】
【請求項１】
上面に開口を有する収納庫本体と、前記開口の後端に開閉自在に枢着された蓋体とを備えた収納庫において、
前記蓋体下側と前記収納庫本体前面を構成する前面板との間に隙間を形成し、
前記蓋体前部に第１の係止孔を形成し、
前記前面板に長孔を設け、長孔に収納庫本体外方へ出し入れ自在の板状係止片を遊嵌し、板状係止片の収納庫外側の先端に第２の係止孔を形成するとともに他端に抜け止部材を設け、抜け止部材は重りとなり板状係止片を収納庫内へ引き込み、収納庫の閉蓋時に第１の係止孔と長孔より引き出した板状係止片の第２の係止孔間を南京錠で施錠することを特徴とする収納庫。
【考案の詳細な説明】
【技術分野】
【０００１】
本考案は、屋外に設置される家庭用の収納庫に関するものである。
【背景技術】
【０００２】
家庭ごみの一時保管や、ガーデニング用品、カー用品などの収納のため、家庭の軒下やベランダ等に置かれる収納庫が知られている。上方を開口した箱型の収納庫本体と開口を閉塞する蓋体からなる収納庫は、収納品の盗難やいたずら、あるいは強風によって不意に蓋が開いてしまう事態を防止するため、施錠装置を備えたものが多数存在する。
例えば、特開２０１０−２３５２９９号公報においては、ボックス本体と前蓋の当接部にそれぞれ錠杆係止環と錠杆係止棒を設け、南京錠によって施錠するようにしている。
【先行技術文献】
【特許文献】
【０００３】
【特許文献１】特開２０１０−２３５２９９号公報
【考案の概要】
【考案が解決しようとする課題】
【０００４】
しかしながら、上記の収納庫は、閉蓋状態において、蓋体と収納庫本体開口縁との隙間がほとんどなく、特に施錠装置である錠杆係止環と錠杆係止棒が設けられた部分は南京錠のつるが届くよう接近しているため、使用者が一方の手で蓋の閉操作をする際に、誤って収納庫本体開口部分の錠杆係止環近くに置いた他方の手を挟んで怪我をするおそれがあった。また、開蓋状態においても、錠杆係止環が外方に突出しており、収納物を出し入れする際に引っかかりやすく、収納物を傷めてしまう問題があった。
そこで本考案は、前記のような問題点を解消し、安全に使用できる施錠装置を備えた収納庫を提供することを目的としたものである。
【課題を解決するための手段】
【０００５】
本考案の収納庫では、蓋体下側と前記収納庫本体前面を構成する前面板との間に隙間を形成し、蓋体前部に第１の係止孔を形成し、前面板に長孔を設け、長孔に収納庫本体外方へ出し入れ自在の板状係止片を遊嵌し、板状係止片の収納庫外側の先端に第２の係止孔を形成するとともに他端に抜け止部材を設け、抜け止部材は重りとなり板状係止片を収納庫内へ引き込み、収納庫の閉蓋時に第１の係止孔と長孔より引き出した板状係止片の第２の係止孔間を南京錠で施錠するようにしたものである。
【考案の効果】
【０００６】
本考案の収納庫は、解錠時において、前面板に出し入れ自在に設けられた板状係止片は、収納庫本体内に収納されるため、外部への突出が小さく、蓋体と前面板の間には手指を差し入れることができる程度の隙間が確保され、手を挟むことなく安全に蓋の開閉操作が行える。また、収納物の出し入れの際に、収納物等を引っ掛けるおそれがない。
【図面の簡単な説明】
【０００７】
【図１】本考案の収納庫の斜視図である。
【図２】本考案の収納庫の中央縦断面図である。
【図３】本考案の収納庫の板状係止片の説明図である。
【図４】本考案の収納庫の解錠時の施錠装置の縦断面図である。
【図５】本考案の収納庫の施錠時の施錠装置の縦断面図である。
【考案を実施するための形態】
【０００８】
以下、図面を基に本考案の実施例について説明する。
【０００９】
１は収納庫本体で、前面板２・背面板３・左側面板４・右側面板５及び底板６を組み合わせて上面を開口した箱状に形成され、上面開口に蓋体７が取り付けられている。前面板２及び背面板３は、左右両側面板４・５に対して上端が低くなるように取り付けられ、蓋体７を閉じた状態で前面板２及び背面板３の上方に隙間８を形成し、本体内の通気性を確保している。
【００１０】
蓋体７は、本体１の背面板３上縁部に、ヒンジ部材９を介して枢着され、上下方向に回動自在に取り付けられる。蓋体７の奥行き寸法は、本体１の奥行きより大きく構成され、本体１上面開口の全体を覆い、前端が本体１の前面板２よりも前方へ張り出すことで、本体１の前面板２及び背面板３の上方に形成される隙間８をカバーし、風雨の浸入を防ぎ、内部のゴミを目隠しする。また、蓋体７の前縁中央部には、把手部材１０が取り付けられ、この把手部材１０を把持しながら蓋体７の開閉動作を行うことができる。また、蓋体７前縁には、第１の係止孔１１を有する環状部材１２が設けられている。
【００１１】
前面板２は、上辺を収納庫内側に折り曲げた断面コ字状の折曲縁２ａを有し、折曲縁２ａ下端と蓋体７の環状部材１２を結んだ直線と交わる位置に前後方向に貫通する長孔１３が設けられ、この長孔１３内に板状係止片１４が遊嵌されている。図３（ａ）および（ｂ）に示すように、板状係止片１４は、収納庫外側に露出する一方の端部に第２の係止孔１５が設けられ、第２の係止孔１５周辺には係止孔１５部分が長孔１３を通り抜けて収納庫内側へ抜け落ちることを防止する抜止用膨出部１６が形成されている。板状係止片１４の抜け止用膨出部１６部分の断面形状は、長孔１３の開口面積より大きい形状とする。本実施例では、板状係止片１４の収納庫外側に露出する側の端部の寸法を幅方向に大きくして抜け止用膨出部としているが、このような形状に限定するものではない。一方、板状係止片１４の他端は、上方にＬ字形に折り曲げられた折曲部１８が形成されると共に、抜け止部材１７をネジ止めすることにより、板状係止片１４が長孔１３から収納庫外へ抜け落ちないようにしている。これにより、板状係止片１４は、長孔１３から脱落することなく、抜け止用膨出部１６と抜け止部材１７との間の距離Ｌを自在にスライド移動させることができる。なお、前記距離Ｌは、長孔１３から閉状態の蓋体７前縁に設けられた環状部材１２までの距離と同等とし、板状係止片１４を収納庫外へ最大引出可能距離、つまり距離Ｌ引き出した時、第２の係止孔１５と環状部材１２の第１の係止孔１１が重なり合う位置関係であるものとする。
【００１２】
板状係止片１４は、施錠のため収納庫外に引き出されていない状態においては、抜け止部材１７の自重によってその大部分が収納庫内に引き込まれ、抜け止用膨出部１６が長孔１３の開口縁に当接する位置にある。板状係止片１４は、略垂直の姿勢を保持しするため、収納庫外に露出した第２の係止孔１５部分は前面板２外表面に沿うようになり、板状係止片１４が収納庫外に突出せず、収納物や手などを引っ掛ける心配がない。
【００１３】
次に、図４および図５に基づいて、施錠方法について説明する。
まず、蓋体７を閉じ、収納庫内に引き込まれた板状係止片１４を指でつまんで長孔１３から引き出す。板状係止片１４の移動が規制されるまで、板状係止片１４を斜め上方へ最大限まで引き出し、蓋体７前縁の環状部材１２の第１の係止孔１１と板状係止片１４の第２の係止孔１５が重なり合うように配置すると、板状係止片１４の折曲部１８はＬ字部分が折曲縁２ａ下端に引っ掛かり、かつ、抜け止部材１７は前面板裏面に当接し、さらに、板状係止片１４上面の一部が長孔１３開口縁に当接し、３カ所で板状係止片１４が支持される。そして、第１の係止孔１１と第２の係止孔１５に南京錠２０のつるを通して施錠する。板状係止片１４は、南京錠２０で施錠された位置に固定され、蓋体７をがたつくことなくしっかりと閉状態に保持することができる。また、板状係止片１４を３点で支持することにより、板状係止片１４を引っ張ることによる前面板２への加重の偏りを抑え、前面板２の変形を防ぐ。
【００１４】
蓋体７の施錠を解除する場合は、南京錠２０を解錠し、つるを第１の係止孔１１と第２の係止孔１５から取り外す。板状係止片１４は移動可能になり、抜け止部材１７の自重によって長孔１３から収納庫内に引き込まれ収納される。
【００１５】
以上のように、本考案の収納庫では、蓋体７と収納庫本体１の前面板２上部との間に、隙間を確保し、板状係止片１４を前面板２に出し入れ可能に設けることにより、蓋体７の開閉操作の際に使用者が前面板２上部に手を置いたまま蓋体７を閉じても手が挟まれない。また、板状係止片１４は、非施錠時に、自重により落下し収納庫内に自動的に引き込まれる構成としたことにより、収納庫外への露出部分が小さくなり収納物の出し入れ時に邪魔にならない。また、板状係止片１４が収納庫内に十分引き込まれず外部に露出している場合であっても、抜け止部材１７は長孔１３の開口縁を支点に揺動するため、手などが抜け止部材１７に接触すると接触部分が下方へ逃げるように移動し、手は挟まれることなく安全に開閉操作ができる。
【００１６】
上記実施例では、箱形の収納庫の例について説明したが、これに限るものではなく、木や合成樹脂等から成るものや、円筒型やかまぼこ型等どのような形態のものでもよい。
【符号の説明】
【００１７】
１    本体
２    前面板
２ａ  折曲縁
３    背面板
４    左側面板
５    右側面板
６    底板
７    蓋体
８    隙間
９    ヒンジ
１０  把手部材
１１  第１の係止孔
１２  環状部材
１３  長孔
１４  板状係止片
１５  第２の係止孔
１６  抜け止用膨出部
１７  抜け止部材
１８  折曲部
２０  南京錠
【図１】
0003209265.tif 000003
【図２】
0003209265.tif 000004
【図３】
0003209265.tif 000005
【図４】
0003209265.tif 000006
【図５】
0003209265.tif 000007